(57)【要約】【課題】投げ釣りにおいて、何人も容易に遠投することができるようにする。【解決手段】釣竿（１）には重り（３）を備えたカム（５）を常時鉛直方向に位置するように取り付け、該カムには円弧状面（１３）と該円弧状面に続く凹面（１５）とよりなる作用面（１７）を備えさせ、該釣竿には一端にローラー（１９）を備えたローラー軸（２１）を、該ローラーが該カムの作用面に接離する方向に、傾動自在になるように取り付け、該ローラー軸の他端（２１ｂ）に道糸（３３）を係止したときには該ローラー軸は該道糸により該ローラーをカムの作用面における円弧状面に圧接させた状態に保持され、該ローラー軸の該他端に道糸を係止した状態で釣竿を前方に振り、該釣竿が所定の角度に達した時に該ローラーがカムの作用面における凹面に落ち込むことにより該ローラー軸の該他端が道糸の係止を解除する方向に傾動するようになす。【選択図】図１
2004222661.tif 000002
【特許請求の範囲】
【請求項１】
釣竿には重りを備えたカムを該釣竿とは直角方向の支軸を介して回動自在に取り付けることにより該釣竿の前後方向の角度の如何にかかわらず該カムが常時鉛直方向に位置するようになし、該カムには円弧状面と該円弧状面に続く凹面とよりなる作用面を備えさせ、該釣竿には一端に該カムに対応するローラーを備えたローラー軸を、該ローラーが該カムの作用面に接離する方向に、傾動自在になるように取り付け、該ローラー軸の他端に釣竿のリールから繰り出された道糸を係止したときには該ローラー軸は該道糸により該ローラーをカムの作用面における円弧状面に圧接させた状態に保持され、該ローラー軸の該他端に道糸を係止した状態で釣竿を前方に振り、該釣竿が所定の角度に達した時に該ローラーがカムの作用面における凹面に落ち込むことにより該ローラー軸の該他端が道糸の係止を解除する方向に傾動して該ローラー軸の該他端による道糸の係止を解除するようにしたことを特徴とする道糸振り出し補助装置。
【請求項２】
前記カムとローラー軸とを釣竿に固定されるリール支持体に取り付けたことを特徴とする請求項１記載の道糸振り出し補助装置。
【請求項３】
釣竿には表面に凸部を備えた重りを該釣竿とは直角方向の支軸を介して回動自在に取り付けることにより該釣竿の前後方向の角度の如何にかかわらず該重りが常時鉛直方向に位置するようになし、該釣竿にはソレノイドにより進退するプランジャと該ソレノイドの電源とスイッチとを備えさせ、該プランジャは該スイッチが開状態にあるときには前進位置にあり該スイッチが閉状態にあるときには後退位置にあるようになし、該スイッチは常時は開状態にあり釣竿が所定の角度にある時には前記重りの凸部に押圧されて閉状態となるようになし、該プランジャには釣竿のリールから繰り出された道糸を係止し、該プランジャに該道糸を係止した状態で釣竿を前方に振り、該釣竿が所定の角度に達した時に前記重りの凸部が該スイッチを押圧して閉状態となしてプランジャを後退位置に戻すことにより該プランジャによる道糸の係止を解除するようにしたことを特徴とする道糸振り出し補助装置。
【請求項４】
前記重りとソレノイドにより進退するプランジャと該ソレノイドの電源とスイッチとを釣竿に固定されるリール支持体に取り付けたことを特徴とする請求項３記載の道糸振り出し補助装置。
【発明の詳細な説明】
【０００１】
【発明の属する技術分野】
本発明は、道糸振り出し補助装置に関するものであり、更に詳しくは、投げ釣りにおいて、道糸を係止した状態で釣竿を前方に振って遠投する際に釣竿が所定の角度に達した時に道糸の係止を自動的に解除するようにした道糸振り出し補助装置に係るものである。
【０００２】
【従来の技術】
投げ釣りにおいて遠投する際には、一般に釣竿を両手で把持し、リール付近を把持する一方の手の指に道糸を係止した状態（図１１参照）で釣竿を前方に振り、釣竿が一定の角度に達した時に該指による道糸の係止を解除するようにしている。なお、本出願人は先行技術文献情報を有しない。
【０００３】
【発明が解決しようとする課題】
しかるに、上記従来の手法においては、次のような問題が生じている。
【０００４】
（イ）リール付近を把持する一方の手の指に道糸を係止した状態で釣竿を前方に振る際に、該道糸が該指に接触した状態で走るため、該指に該道糸との摩擦による痛みが生ずる。
【０００５】
（ロ）上記の如く指に痛みが生ずるため、遠投者は釣竿を全力で振ることができない。従って、遠投者は十分な飛距離を得ることができないという問題がある。
【０００６】
（ハ）釣竿を前方に振る際に指による道糸の係止を解除する時のタイミング、即ち指による道糸の係止を解除する時の釣竿の角度、を常に一定にすることは困難であるため、飛距離にムラが生ずることが往々にしてある。
【０００７】
本発明は上記の如き問題を解決しようとしてなされたものである。
【０００８】
【課題を解決するための手段】
上記課題を解決するために、本発明は下記の道糸振り出し補助装置を提供するものである。
【０００９】
（１）釣竿には重りを備えたカムを該釣竿とは直角方向の支軸を介して回動自在に取り付けることにより該釣竿の前後方向の角度の如何にかかわらず該カムが常時鉛直方向に位置するようになし、該カムには円弧状面と該円弧状面に続く凹面とよりなる作用面を備えさせ、該釣竿には一端に該カムに対応するローラーを備えたローラー軸を、該ローラーが該カムの作用面に接離する方向に、傾動自在になるように取り付け、該ローラー軸の他端に釣竿のリールから繰り出された道糸を係止したときには該ローラー軸は該道糸により該ローラーをカムの作用面における円弧状面に圧接させた状態に保持され、該ローラー軸の該他端に道糸を係止した状態で釣竿を前方に振り、該釣竿が所定の角度に達した時に該ローラーがカムの作用面における凹面に落ち込むことにより該ローラー軸の該他端が道糸の係止を解除する方向に傾動して該ローラー軸の該他端による道糸の係止を解除するようにしたことを特徴とする道糸振り出し補助装置（請求項１）。
【００１０】
（２）前記カムとローラー軸とを釣竿に固定されるリール支持体に取り付ける（請求項２）。
【００１１】
（３）釣竿には表面に凸部を備えた重りを該釣竿とは直角方向の支軸を介して回動自在に取り付けることにより該釣竿の前後方向の角度の如何にかかわらず該重りが常時鉛直方向に位置するようになし、該釣竿にはソレノイドにより進退するプランジャと該ソレノイドの電源とスイッチとを備えさせ、該プランジャは該スイッチが開状態にあるときには前進位置にあり該スイッチが閉状態にあるときには後退位置にあるようになし、該スイッチは常時は開状態にあり釣竿が所定の角度にある時には前記重りの凸部に押圧されて閉状態となるようになし、該プランジャには釣竿のリールから繰り出された道糸を係止し、該プランジャに該道糸を係止した状態で釣竿を前方に振り、該釣竿が所定の角度に達した時に前記重りの凸部が該スイッチを押圧して閉状態となしてプランジャを後退位置に戻すことにより該プランジャによる道糸の係止を解除するようにしたことを特徴とする道糸振り出し補助装置（請求項３）。
【００１２】
（４）前記重りとソレノイドにより進退するプランジャと該ソレノイドの電源とスイッチとを釣竿に固定されるリール支持体に取り付ける（請求項４）。
【００１３】
【作用】
［請求項１の発明］
請求項１の道糸振り出し補助装置により遠投を行なう際には、釣竿のリールから繰り出された道糸をローラー軸の前記他端に係止した状態で釣竿を両手で把持し、該釣竿を一旦後方に向けた後、前方に強く振ればよい。しかるときは、釣竿が所定の角度に達した時にローラー軸の一端に備えさせたローラーがカムの作用面における円弧状面から凹面に落ち込むことにより該ローラー軸の該他端が道糸の係止を解除する方向に傾動して該ローラー軸の該他端による道糸の係止を解除する。即ち、ローラー軸の該他端が道糸の係止を解除する方向に傾動すると、該ローラー軸の該他端に係止されていた道糸は該他端から外れて解放され、前方に飛ぶ。
【００１４】
［請求項２の発明］
カムとローラー軸とは釣竿に固定されるリール支持体に取り付けられる。即ち、製造段階でカムとローラー軸とを予めリールと共にリール支持体に取り付けることができるため、カムとローラー軸を釣竿に取り付ける際には、単にリール支持体を釣竿に取り付けるのみでよい。
【００１５】
［請求項３の発明］
請求項３の道糸振り出し補助装置により遠投を行なう際には、釣竿のリールから繰り出された道糸をソレノイドのプランジャに係止した状態で釣竿を両手で把持し、該釣竿を一旦後方に向けた後、前方に強く振ればよい。しかるときは、釣竿が所定の角度に達した時に重りの凸部がソレノイドのスイッチを押圧して閉状態となしてプランジャを後退位置に戻すことにより該プランジャによる道糸の係止を解除する。即ち、道糸は解放され、前方に飛ぶ。
【００１６】
［請求項４の発明］
重りとソレノイドにより進退するプランジャと該ソレノイドの電源とスイッチとは釣竿に固定されるリール支持体に取り付けられる。即ち、製造段階で重りとソレノイドにより進退するプランジャと該ソレノイドの電源とスイッチとを予めリールと共にリール支持体に取り付けることができるため、重りとソレノイドにより進退するプランジャと該ソレノイドの電源とスイッチとを釣竿に取り付ける際には、単にリール支持体を釣竿に取り付けるのみでよい。
【００１７】
【発明の実施の形態】
次に、本発明の実施の形態を添付図面に従って説明する。
【００１８】
まず、図１〜図７に示す事例について説明する。
符号１に示すものは釣竿である。釣竿１には重り３を備えたカム５を該釣竿１とは直角方向の支軸７を介して回動自在に取り付けることにより該釣竿１の前後方向の角度の如何にかかわらず該カム５が常時鉛直方向に位置するようになす。
【００１９】
支軸７は一対の支持板９、９に取り付けられおり、該支持板９、９は固定具１１を介して釣竿１に固定されている。符号１２に示すものは釣竿押えラバーである。
【００２０】
カム５には円弧状面１３と該円弧状面１３に続く凹面１５とよりなる作用面１７を備えさせる。符号１４に示すものはカム５の回動を規制するストッパーである。
【００２１】
釣竿１には一端２１ａにカム５に対応するローラー１９を備えたローラー軸２１を、該ローラー１９が該カム５の作用面１７に接離する方向に、傾動自在になるように取り付ける。
【００２２】
即ち、図１、３、４に示すように、ローラー軸２１は回動部材２３に固定され、該回動部材２３は、ローラー１９がカム５の作用面１７に接離する方向に、傾動自在になるように、回動軸２５を介して固定部材２７、２７間に挟持され、該固定部材２７、２７は一方の支持板９に固定される。
【００２３】
ローラー軸２１の他端２１ｂに釣竿１のリール３１から繰り出された道糸３３を係止したときには該ローラー軸２１は該道糸３３によりローラー１９をカム５の作用面１７における円弧状面１３に圧接させた状態に保持されるようになす（図３参照）。
【００２４】
ローラー軸２１の前記他端２１ｂに道糸３３を係止した状態で釣竿１を前方に振り、該釣竿１が所定の角度に達した時にローラー１９がカム５の作用面１７における凹面１５に落ち込むことにより該ローラー軸２１の該他端２１ｂが道糸３３の係止を解除する方向に傾動してローラー軸２１の該他端２１ｂによる道糸３３の係止を解除するようになす。釣竿１の当該所定の角度は、一例として、釣竿１が鉛直状態より前方に約４０度傾斜した角度とする。
【００２５】
前記カム５とローラー軸２１とを釣竿１に固定されるリール支持体３５に取り付けてもよい。即ち、一例として前記支持板９、９をリール支持体３５に取り付けてもよい。
【００２６】
次に、図８〜図１０に示す事例について説明する。
釣竿１には表面に凸部４１を備えた重り４３を該釣竿１とは直角方向の支軸４５を介して回動自在に取り付けることにより該釣竿１の前後方向の角度の如何にかかわらず該重り４３が常時鉛直方向に位置するようになす。
【００２７】
支軸４５は支持枠４７に取り付けられおり、該支持枠４７は固定具４９を介して釣竿１に固定されている。符号５０に示すものは釣竿押えラバーである。
【００２８】
釣竿１にはソレノイド５１により進退するプランジャ５３と該ソレノイド５１の電源５５とスイッチ５７とを備えさせる。電源５５としては例えば電池が使用される。
【００２９】
スイッチ５７は、一例として、可動片５７ａと固定片５７ｂとよりなり、可動片５７ａは固定片５７ｂに対し接離自在であり且つ常時固定片５７ｂから離れる傾向を有する弾性体である。可動片５７ａが固定片５７ｂに接触しているときには、スイッチ５７は閉状態である。可動片５７ａが固定片５７ｂから離れているときには、スイッチ５７は開状態である。
【００３０】
図示の事例においては、ソレノイド５１により進退するプランジャ５３と該ソレノイド５１の電源５５とスイッチ５７とは前記支持枠４７に取り付けられている。
【００３１】
ソレノイド５１のプランジャ５３は、スイッチ５７が開状態にあるときには前進位置にあり該スイッチ５７が閉状態にあるときには後退位置にあるようになす。図１０参照。
【００３２】
スイッチ５７は常時は開状態にあり、釣竿１が所定の角度にある時には前記重り４３の凸部４１に押圧されて閉状態となるようになす。釣竿１の当該所定の角度は、一例として、釣竿１が鉛直状態より前方に約４０度傾斜した角度とする。
【００３３】
プランジャ５３には釣竿１のリール３１から繰り出された道糸３３を係止する。
【００３４】
プランジャ５３に該道糸３３を係止した状態で釣竿１を前方に振り、該釣竿１が所定の角度に達した時に前記重り４３の凸部４１がスイッチ５７の可動片５７ａを押圧して該スイッチ５７を閉状態となしてプランジャ５３を後退位置に戻すことにより該プランジャ５３による道糸３３の係止を解除するようになす。
【００３５】
前記重り４３とソレノイド５１により進退するプランジャ５３と該ソレノイド５１の電源とスイッチ５７とを釣竿１に固定されるリール支持体に取り付けてもよい。即ち、一例として前記支持枠４７をリール支持体３５に取り付けてもよい。
【００３６】
【発明の効果】
［請求項１の発明］
遠投を行なう際には、釣竿のリールから繰り出された道糸をローラー軸の前記他端に係止した状態で釣竿を前方に振ればよく、該道糸を手の指に係止する必要がないため、指に該道糸との摩擦による痛みを生ずることがない。また、両手の全指を用いて釣竿を把持した状態で釣竿を振ることができる。
【００３７】
遠投時には、釣竿が所定の角度に達した時にローラー軸の前記他端による道糸の係止が自動的に解除される。即ち、道糸が解放される時の釣竿の角度は常に一定であり、遠投者は遠投時に道糸を解放するタイミングを気にする必要が全くない。
【００３８】
即ち、遠投者は、指の痛みや道糸を解放するタイミングを気にすることなく、しかも両手の全指を用いて釣竿を把持した状態で、釣竿を全力で振ることができるため、常に最大且つ安定した飛距離を得ることができる。
【００３９】
［請求項２の発明］
製造段階でカムとローラー軸とを予めリールと共にリール支持体に取り付けることができるため、カムとローラー軸を釣竿に取り付ける際には、単にリール支持体を釣竿に取り付けるのみでよい。
【００４０】
［請求項３の発明］
遠投を行なう際には、釣竿のリールから繰り出された道糸をプランジャに係止した状態で釣竿を前方に振ればよく、該道糸を手の指に係止する必要がないため、指に該道糸との摩擦による痛みを生ずることがない。また、両手の全指を用いて釣竿を把持した状態で釣竿を振ることができる。
【００４１】
遠投時には、釣竿が所定の角度に達した時にプランジャによる道糸の係止が自動的に解除される。即ち、道糸が解放される時の釣竿の角度は常に一定であり、遠投者は遠投時に道糸を解放するタイミングを気にする必要が全くない。
【００４２】
即ち、遠投者は、指の痛みや道糸を解放するタイミングを気にすることなく、且つ両手の全指を用いて釣竿を把持した状態で、釣竿を全力で振ることができるため、常に最大且つ安定した飛距離を得ることができる。
【００４３】
［請求項４の発明］
製造段階で重りとソレノイドにより進退するプランジャと該ソレノイドの電源とスイッチとを予めリールと共にリール支持体に取り付けることができるため、重りとソレノイドにより進退するプランジャと該ソレノイドの電源とスイッチとを釣竿に取り付ける際には、単にリール支持体を釣竿に取り付けるのみでよい。
【図面の簡単な説明】
【図１】本発明による道糸振り出し補助装置の一例を示す側面図である。
【図２】同上の断面図である。
【図３】同上の平面図である。
【図４】同上の正面図である。
【図５】同上道糸振り出し補助装置において、釣竿を振り始めた状態を示す側面図である。
【図６】同上道糸振り出し補助装置において、釣竿が鉛直に達した状態を示す側面図である。
【図７】同上道糸振り出し補助装置において、釣竿が所定の角度に達した状態を示す側面図である。
【図８】本発明による道糸振り出し補助装置の別の一例を示す側面図である。
【図９】同上道糸振り出し補助装置において、釣竿が所定の角度に達した状態を示す側面図である。
【図１０】同上道糸振り出し補助装置の断面図である。
【図１１】遠投時における従来の手法を示す側面図である。
【符号の説明】
１    釣竿
３    重り
５    カム
７    支軸
９    支持板
１１    固定具
１２    釣竿押えラバー
１３    円弧状面
１４    ストッパー
１５    凹面
１７    作用面
１９    ローラー
２１    ローラー軸
２１ａ    一端
２１ｂ    他端
２３    回動部材
２５    回動軸
２７    固定部材
３１    リール
３３    道糸
３５    リール支持体
４１    凸部
４３    重り
４５    支軸
４７    支持枠
４９    固定具
５０    釣竿押えラバー
５１    ソレノイド
５３    プランジャ
５５    電源
５７    スイッチ
５７ａ    可動片
５７ｂ    固定片
【図１】
2004222661.tif 000003
【図２】
2004222661.tif 000004
【図３】
2004222661.tif 000005
【図４】
2004222661.tif 000006
【図５】
2004222661.tif 000007
【図６】
2004222661.tif 000008
【図７】
2004222661.tif 000009
【図８】
2004222661.tif 000010
【図９】
2004222661.tif 000011
【図１０】
2004222661.tif 000012
【図１１】
2004222661.tif 000013